(57)【要約】本発明によれば、タッチパネル及びタッチ装置が提供される。タッチパネルは、第１方向に沿って延在するとともに第２方向に沿って間隔をあけて配列される複数の駆動電極チェーンと、第２方向に沿って延在するとともに第１方向に沿って間隔をあけて配列される複数の誘導電極チェーンと、を含み、駆動電極チェーン及び誘導電極チェーンは、互いに絶縁され、誘導電極チェーンは、互いに絶縁するように平行に間隔をあけて設けられる第１サブチェーン及び第２サブチェーンを含み、二つの隣接する誘導電極チェーン間における駆動電極チェーンの部分と、駆動電極チェーンに近接する第１サブチェーン及び第２サブチェーンのうちの駆動電極チェーンの部分に最も近いサブチェーンとにより、タッチパネルの表面に投影されるタッチオブジェクトの位置を特定するための第１コンデンサが形成され、二つの隣接する誘導電極チェーン間における駆動電極チェーンの部分と、駆動電極チェーンに近接する第１サブチェーン及び第２サブチェーンのうちの他のサブチェーンとにより、タッチパネルの表面に浮遊するタッチオブジェクトの高さを特定するための第２コンデンサが形成される。【選択図】図１
2020535506.tif 000002
【特許請求の範囲】
【請求項１】
タッチパネルであって、
第１方向に沿って延在するとともに第２方向に沿って間隔をあけて配列される複数の駆動電極チェーンと、
前記第２方向に沿って延在するとともに前記第１方向に沿って間隔をあけて配列される複数の誘導電極チェーンと、を含み、
前記駆動電極チェーン及び前記誘導電極チェーンは、互いに絶縁され、
前記誘導電極チェーンは、互いに絶縁するように平行に間隔をあけて設けられる第１サブチェーン及び第２サブチェーンを含み、
二つの隣接する前記誘導電極チェーン間における前記駆動電極チェーンの部分と、前記駆動電極チェーンに近接する前記第１サブチェーン及び前記第２サブチェーンのうちの前記駆動電極チェーンの部分に最も近いサブチェーンとにより、タッチパネルの表面に投影されるタッチオブジェクトの位置を特定するための第１コンデンサが形成され、
二つの隣接する前記誘導電極チェーン間における前記駆動電極チェーンの部分と、前記駆動電極チェーンに近接する前記第１サブチェーン及び前記第２サブチェーンのうちの他のサブチェーンとにより、タッチパネルの表面に浮遊するタッチオブジェクトの高さを特定するための第２コンデンサが形成される、タッチパネル。
【請求項２】
前記駆動電極チェーン及び前記誘導電極チェーンは、同じ層に設けられる、請求項１に記載のタッチパネル。
【請求項３】
同じ前記駆動電極チェーンは、複数の駆動電極を含み、
前記複数の駆動電極は、二つの隣接する誘導電極チェーン間のギャップに位置するように間隔をあけて設けられ、
二つの隣接する前記駆動電極同士は、互いに電気的に接続される、請求項２に記載のタッチパネル。
【請求項４】
二つの隣接する前記駆動電極同士は、駆動線を介して互いに電気的に接続される、請求項３に記載のタッチパネル。
【請求項５】
前記駆動電極チェーンは、一体構造である、請求項１に記載のタッチパネル。
【請求項６】
前記第１サブチェーン及び前記第２サブチェーンの延在方向及び配列方向は、いずれも前記誘導電極チェーンの延在方向及び配列方向と同じである、請求項１に記載のタッチパネル。
【請求項７】
二つの隣接する前記第１サブチェーンと前記第２サブチェーンとの間に絶縁材料が充填される、請求項６に記載のタッチパネル。
【請求項８】
二つの隣接する前記誘導電極チェーンと、二つの隣接する前記誘導電極チェーン間のギャップに設けられる前記駆動電極チェーンとの間に絶縁材料が充填される、請求項２に記載のタッチパネル。
【請求項９】
前記第１方向と前記第２方向とは、直交する、請求項１に記載のタッチパネル。
【請求項１０】
タッチ装置であって、
前記タッチ装置は、タッチパネルを含み、
前記タッチパネルは、第１方向に沿って延在するとともに第２方向に沿って間隔をあけて配列される複数の駆動電極チェーンと、
前記第２方向に沿って延在するとともに前記第１方向に沿って間隔をあけて配列される複数の誘導電極チェーンとを含み、
前記駆動電極チェーン及び前記誘導電極チェーンは、互いに絶縁され、
前記誘導電極チェーンは、互いに絶縁するように平行に間隔をあけて設けられる第１サブチェーン及び第２サブチェーンを含み、
二つの隣接する前記誘導電極チェーン間における前記駆動電極チェーンの部分と、前記駆動電極チェーンに近接する前記第１サブチェーン及び前記第２サブチェーンのうちの前記駆動電極チェーンの部分に最も近いサブチェーンとにより、タッチパネルの表面に投影されるタッチオブジェクトの位置を特定するための第１コンデンサが形成され、
二つの隣接する前記誘導電極チェーン間における前記駆動電極チェーンの部分と、前記駆動電極チェーンに近接する前記第１サブチェーン及び前記第２サブチェーンのうちの他のサブチェーンとにより、タッチパネルの表面に浮遊するタッチオブジェクトの高さを特定するための第２コンデンサが形成される、タッチ装置。
【請求項１１】
前記駆動電極チェーン及び前記誘導電極チェーンは、同じ層に設けられる、請求項１０に記載のタッチ装置。
【請求項１２】
同じ前記駆動電極チェーンは、複数の駆動電極を含み、
前記複数の駆動電極は、二つの隣接する誘導電極チェーン間のギャップに位置するように間隔をあけて設けられ、
二つの隣接する前記駆動電極同士は、互いに電気的に接続される、請求項１１に記載のタッチ装置。
【請求項１３】
二つの隣接する前記駆動電極同士は、駆動線を介して互いに電気的に接続される、請求項１２に記載のタッチ装置。
【請求項１４】
前記駆動電極チェーンは、一体構造である、請求項１０に記載のタッチ装置。
【請求項１５】
前記第１サブチェーン及び前記第２サブチェーンの延在方向及び配列方向は、いずれも前記誘導電極チェーンの延在方向及び配列方向と同じである、請求項１０に記載のタッチ装置。
【請求項１６】
二つの隣接する前記第１サブチェーンと前記第２サブチェーンとの間に絶縁材料が充填される、請求項１５に記載のタッチ装置。
【請求項１７】
二つの隣接する前記誘導電極チェーンと、二つの隣接する前記誘導電極チェーン間のギャップに設けられる前記駆動電極チェーンとの間に絶縁材料が充填される、請求項１１に記載のタッチ装置。
【請求項１８】
前記第１方向と前記第２方向とは、直交する、請求項１０に記載のタッチ装置。
【発明の詳細な説明】
【技術分野】
【０００１】
本発明は、タッチ技術の分野に関し、特にタッチパネル及びタッチ装置に関するものである。
【背景技術】
【０００２】
タッチ装置は、タッチ技術の継続的な発展に伴い、最初の非インテリジェントマシンのボタンキーボード式からインテリジェントマシンの物理ボタンなしのタッチ統合に発展し、ヒューマンマシンインターフェイスの相互作用がより便利でユーザフレンドリになった。また、タッチ技術は多くの種類に分かれており、中小サイズのタッチ装置（例えば携帯電話、タブレット、Ｎｏｔｅｂｏｏｋなど）で使用されるタッチ技術の主流については、最初のプラグイン式（Ｔｏｕｃｈ  Ｐａｎｅｌ，ＴＰ）からインセル式（Ｉｎ−ｃｅｌｌ  Ｔｏｕｃｈ  Ｐａｎｅｌ，ＩＴＰ）に徐々に発展してきた。さらに、より多くのタッチ機能を実現し、これらの機能を統合するために、例えば、感圧タッチ（Ｆｏｒｃｅ  ｔｏｕｃｈ）、指紋認識（Ｆｉｎｇｅｒｐｒｉｎｔ  ｉｄｅｎｔｉｆｉｃａｔｉｏｎ）などがインセルタッチパネルに統合され始めている。現在、表示技術はまだ主に２Ｄ段階にあり、タッチ技術も主に二次元空間タッチを主としている。３Ｄ表示技術が徐々に成熟するように開発されるにつれて、将来の３Ｄホログラフィック技術も必然的に主流になる。そして、フローティングタッチがより幅広く応用されるため、フローティング位置決め技術に対する研究は特に重要である。
【発明の概要】
【０００３】
本発明によれば、タッチパネルであって、第１方向に沿って延在するとともに第２方向に沿って間隔をあけて配列される複数の駆動電極チェーンと、前記第２方向に沿って延在するとともに前記第１方向に沿って間隔をあけて配列される複数の誘導電極チェーンと、を含み、前記駆動電極チェーン及び前記誘導電極チェーンは、互いに絶縁され、前記誘導電極チェーンは、互いに絶縁するように平行に間隔をあけて設けられる第１サブチェーン及び第２サブチェーンを含み、二つの隣接する前記誘導電極チェーン間における前記駆動電極チェーンの部分と、前記駆動電極チェーンに近接する前記第１サブチェーン及び前記第２サブチェーンのうちの前記駆動電極チェーンの部分に最も近いサブチェーンとにより、タッチパネルの表面に投影されるタッチオブジェクトの位置を特定するための第１コンデンサが形成され、二つの隣接する前記誘導電極チェーン間における前記駆動電極チェーンの部分と、前記駆動電極チェーンに近接する前記第１サブチェーン及び前記第２サブチェーンのうちの他のサブチェーンとにより、タッチパネルの表面に浮遊するタッチオブジェクトの高さを特定するための第２コンデンサが形成されるタッチパネルが提供される。
【０００４】
従来技術と比較して、本発明に係るタッチパネルは、誘導電極チェーンを互いに絶縁するように平行に間隔をあけて設けられるそれぞれ前記第１サブチェーン及び前記第２サブチェーンである二つのサブチェーンに分割する。そして、二つの隣接する前記誘導電極チェーン間における前記駆動電極チェーンの部分と、前記駆動電極チェーンに近接する前記第１サブチェーン及び前記第２サブチェーンのうちの前記駆動電極チェーンの部分に最も近いサブチェーンとにより、タッチパネルの表面に投影されるタッチオブジェクトの位置、すなわちタッチパネルの表面におけるタッチオブジェクトの平面座標を特定するための第１コンデンサが形成される。二つの隣接する前記誘導電極チェーン間における前記駆動電極チェーンの部分と、前記駆動電極チェーンに近接する前記第１サブチェーン及び前記第２サブチェーンのうちの他のサブチェーンとにより、タッチパネルの表面に浮遊するタッチオブジェクトの高さを特定するための第２コンデンサが形成される。したがって、前記第１コンデンサと前記第２コンデンサとを組み合わせることにより、タッチパネルの上方空間におけるタッチオブジェクトの具体的な位置を特定することができ、フローティング位置決めが実現される。
【０００５】
本発明によれば、タッチ装置がさらに提供される。前記タッチ装置は、上記のようなタッチパネルを含む。
【図面の簡単な説明】
【０００６】
本発明の構造的特徴及び効果をより明確に説明するために、以下では、図面及び具体的な実施例を参照しながらそれを詳細に説明する。明らかに、以下の説明における図面は、本発明のいくつかの実施例に過ぎない。当業者にとって、創造的な労働なしに、これらの図面に基づいて他の図面を取得することができる。
【０００７】
【図１】本発明の実施例一に係るタッチパネルの構造を示す概略図である。
【図２】本発明の実施例一に係るタッチパネルの表面におけるタッチオブジェクトの位置の測定を示す概略図である。
【図３】本発明の実施例一に係るタッチパネルの表面の上方に浮遊するタッチオブジェクトの測定を示す概略図である。
【図４】本発明の実施例二に係るタッチパネルの構造を示す概略図である。
【図５】本発明の実施例二に係るタッチパネルにおける二つの隣接する駆動電極の接続構造を示す概略図である。
【図６】本発明の実施例二に係るタッチパネルにおける二つの隣接する駆動電極の接続構造を示す概略図である。
【図７】本発明の好適実施例に係るタッチパネルにおける二つの隣接するサブチェーンが設けられる絶縁構造を示す概略図である。
【図８】本発明の好適実施例に係るタッチパネルにおける駆動電極及び隣接する誘導電極チェーンが設けられる絶縁構造を示す概略図である。
【図９】本発明の実施例に係るタッチ装置の構造を示す概略図である。
【発明を実施するための形態】
【０００８】
以下では、本発明の実施例における図面を参照しながら本発明の実施例における技術手段を明確かつ完全に説明する。明らかに、説明された実施例は、本発明の実施例の一部であり、すべての実施例ではない。本発明の実施例に基づいて、創造的な労働なしに当業者によって取得される他のすべての実施例は、いずれも本発明の保護範囲に属すべきである。
【０００９】
本明細書で言及される「実施例」は、実施例を参照しながら説明される特定の特徴、構造又は特性が本発明の少なくとも一つの実施例に含まれ得ることを意味する。明細書の各箇所で当該フレーズが出現することは、必ずしもすべてが同じ実施例を指しているわけではなく、他の実施例と相互に排他的な独立又は代替的な実施例でもない。本明細書で説明された実施例が他の実施例と組み合わせることができることは、当業者によって明示的及び暗黙的に理解される。
【００１０】
本発明の実施例によって提供される技術手段をより明確にするために、以下では、図面を参照しながら上記の手段を詳細に説明する。
【００１１】
図１を参照して、図１は、本発明の実施例一に係るタッチパネルの構造を示す概略図である。前記タッチパネル１０は、第１方向Ｄ１に沿って延在するとともに第２方向Ｄ２に沿って間隔をあけて配列される複数の駆動電極チェーン１１０と、前記第２方向Ｄ２に沿って延在するとともに前記第１方向Ｄ１に沿って間隔をあけて配列される複数の誘導電極チェーン１２０と、を含み、前記駆動電極チェーン１１０及び前記誘導電極チェーン１２０は、互いに絶縁されている。前記誘導電極チェーン１２０は、互いに絶縁するように平行に間隔をあけて設けられる第１サブチェーン１２１及び第２サブチェーン１２２を含む。二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの前記駆動電極チェーン１１０の部分に最も近いサブチェーンとにより、タッチパネル１０の表面に投影されるタッチオブジェクトの位置を特定するための第１コンデンサＣ１が形成される。二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの他のサブチェーンとにより、タッチパネル１０の表面に浮遊するタッチオブジェクトの高さを特定するための第２コンデンサＣ２が形成される。
【００１２】
三次元座標系（Ｘ、Ｙ、Ｚ座標系）では、前記第１コンデンサＣ１は、タッチオブジェクトのＸ軸及びＹ軸の座標を特定するために用いられ、前記第２コンデンサＣ２は、タッチオブジェクトのＺ軸の座標を特定するために用いられる。
【００１３】
ここで、前記第１方向Ｄ１と前記第２方向Ｄ２とは、直交する。前記第１方向Ｄ１はＸ方向又はＹ方向であってもよく、前記第２方向Ｄ２はＸ方向又はＹ方向であってもよい。前記第１方向Ｄ１がＸ方向である場合、前記第２方向Ｄ２はＹ方向である。前記第１方向Ｄ１がＹ方向である場合、前記第２方向Ｄ２はＸ方向である。本発明では、第１方向Ｄ１がＸ方向であり、第２方向Ｄ２がＹ方向であるものを例として説明する。
【００１４】
ここで、「延在」の意味とは、幅、大きさ及び範囲において外側に延長し、伸展することを指す。本実施例では、駆動電極チェーン１１０が第１方向Ｄ１に沿って外側に伸長し、誘導電極チェーン１２０が第２方向Ｄ２に沿って外側に伸長することを指す。
【００１５】
ここで、前記駆動電極チェーン１１０及び前記誘導電極チェーン１２０は、絶縁するように交差して設けられる。
【００１６】
本実施例では、前記駆動電極チェーン１１０及び前記誘導電極チェーン１２０は、異なる層に設けられることが理解される。
【００１７】
ここで、第１サブチェーン１２１及び第２サブチェーン１２２は、互いに絶縁するように平行に間隔をあけて設けられる。
【００１８】
具体的には、前記第１サブチェーン１２１と前記第２サブチェーン１２２との間にギャップを設けることにより、二つのサブチェーンを離間させることができる。前記第１サブチェーン１２１と前記第２サブチェーン１２２との間に絶縁材料を充填することもできる。このようにすれば、前記第１サブチェーン１２１と前記第２サブチェーン１２２との間の誤接触による伝導によって、一つの誘導電極チェーン１２０のみが形成されて二つの独立したコンデンサが形成されず、フローティング位置決め機能が実現されないことを回避することができる。
【００１９】
さらに、前記第１サブチェーン１２１及び前記第２サブチェーン１２２については同じ製造プロセスで形成することができる。それから、前記第１サブチェーン１２１と前記第２サブチェーン１２２との間のギャップを、パターニング処理により形成し、絶縁するように前記第１サブチェーン１２１及び前記第２サブチェーン１２２を設ける。前記第１サブチェーン１２１及び前記第２サブチェーン１２２は同じ製造プロセスで形成することができ、工程を節約することができる。
【００２０】
ここで、前記駆動電極チェーン１１０は、一体構造である。
【００２１】
本実施例では、前記駆動電極チェーン１１０は全体的に一本の一体化された構造であり、すなわち前記駆動電極チェーン１１０及び前記誘導電極チェーン１２０は異なる層に設けられ、前記駆動電極チェーン１１０は全体的に一本の電極であることが理解される。このような構造に設けることで、前記駆動電極チェーン１１０と前記誘導電極チェーン１２０とをギャップだけ直接離間させることができ、他の絶縁構造を設ける必要がなく、前記駆動電極チェーン１１０をパターニング処理する必要もないため、工程を節約することができる。
【００２２】
オプションとして、前記第１サブチェーン１２１及び前記第２サブチェーン１２２の延在方向及び配列方向は、いずれも前記誘導電極チェーン１２０の延在方向及び配列方向と同じである。
【００２３】
前記第１サブチェーン１２１及び前記第２サブチェーン１２２は、平行に間隔をあけて設けられ、前記誘導電極チェーン１２０と同じ延在方向及び配列方向を有することが理解される。
【００２４】
ここで、二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの前記駆動電極チェーン１１０の部分に最も近いサブチェーンとにより、タッチパネル１０の表面に投影されるタッチオブジェクトの位置を特定するための第１コンデンサＣ１が形成される。
【００２５】
図１及び図２を併せて参照して、図２は、本発明の実施例一に係るタッチパネルの表面におけるタッチオブジェクトの位置の測定を示す概略図である。具体的には、前記第１コンデンサＣ１に基づいて、タッチパネルの表面におけるタッチオブジェクトの位置を特定することができ、すなわちタッチパネルの表面（Ｘ軸及びＹ軸）におけるタッチオブジェクトの座標（ａ，ｂ）を特定することができる。
【００２６】
ここで、二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの他のサブチェーンとにより、タッチパネル１０の表面に浮遊するタッチオブジェクトの高さ、すなわちＺ軸におけるタッチオブジェクトの座標を特定するための第２コンデンサＣ２が形成される。
【００２７】
図１及び図３を併せて参照して、図３は、本発明の実施例一に係るタッチパネルの表面の上方に浮遊するタッチオブジェクトの測定を示す概略図である。具体的には、前記第２コンデンサＣ２に基づいて、タッチパネルの表面の上方に浮遊するタッチオブジェクトの高さＨ、すなわちタッチパネルの表面の上方に浮遊するときのタッチオブジェクトの三次元座標系（Ｘ、Ｙ、Ｚ座標系）における座標（ａ、ｂ、Ｈ）を特定することができるため、フローティング位置決めが実現される。
【００２８】
前記第１コンデンサＣ１及び前記第２コンデンサＣ２の変化の法則は、タッチオブジェクトが導体である場合、前記タッチオブジェクトがタッチパネルに近づくと、前記第１コンデンサＣ１及び前記第２コンデンサＣ２の容量値は同時に減少する。そして、タッチオブジェクトが非導体である場合、タッチオブジェクトがタッチパネルに近づくと、前記第１コンデンサＣ１の容量値は減少し、前記第２コンデンサＣ２の容量値は増加する。したがって、タッチオブジェクトがタッチパネルに近づくときの前記第１コンデンサＣ１の容量値の変化及び前記第２コンデンサＣ２の容量値の変化によって前記タッチオブジェクトの種類が導体であるか否かを特定することができる。タッチオブジェクトの種類が導体であるか否かを特定した後、タッチオブジェクトの大きさ及び高さに対する認識は、検出した第１コンデンサＣ１の容量値及び第２コンデンサＣ２の容量値に加え、タッチオブジェクトがタッチパネルに近づく過程における第１コンデンサＣ１の容量値変化の感度（ΔＣ１）及び第２コンデンサＣ２の容量値変化の感度（ΔＣ２）に基づいて判定してもよい。タッチオブジェクトがタッチパネルにより近いとき、ΔＣ１の値がより大きく（すなわち、第１コンデンサＣ１の感度がより高く）、タッチオブジェクトがタッチパネルから遠いとき、ΔＣ２の値がより大きい（すなわち、第２コンデンサＣ２の感度がより高く）ことから、本発明に係るタッチパネルは、まず、タッチパネルに近づくタッチオブジェクトの種類を検出し、さらに、検出された第１コンデンサＣ１の容量値、第２コンデンサＣ２の容量値、第１コンデンサＣ１の容量値変化の感度（ΔＣ１）及び第２コンデンサＣ２の容量値変化の感度（ΔＣ２）に基づいてタッチオブジェクトの位置、大きさ、高さなどに対する判定を実現することにより、フローティングタッチの機能が実現される。
【００２９】
この技術手段によって提供されるタッチパネル１０は、誘導電極チェーン１２０を互いに絶縁するように平行に間隔をあけて設けられるそれぞれ前記第１サブチェーン１２１及び前記第２サブチェーン１２２である二つのサブチェーンに分割する。二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの前記駆動電極チェーン１１０の部分に最も近いサブチェーンとにより、タッチパネルの表面に投影されるタッチオブジェクトの位置、すなわちタッチパネルの表面におけるタッチオブジェクトの平面座標を特定するための第１コンデンサＣ１が形成される。二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの他のサブチェーンとにより、タッチパネルの表面に浮遊するタッチオブジェクトの高さＨを特定するための第２コンデンサＣ２が形成される。したがって、前記第１コンデンサＣ１と前記第２コンデンサＣ２とを組み合わせることにより、タッチパネルの上方空間におけるタッチオブジェクトの具体的な位置を特定することができ、フローティング位置決めが実現される。
【００３０】
図４を参照して、図４は、本発明の実施例二に係るタッチパネルの構造を示す概略図である。本発明の実施例二によって提供されるタッチパネル及び実施例一によって提供されるタッチパネルは基本構造が同じである。実施例二によって提供されるタッチパネル及び実施例一によって提供されるタッチパネルにおける同じ構成要素は同じ作用を有する。異なる点は、実施例二によって提供されるタッチパネルでは、前記駆動電極チェーン１１０及び前記誘導電極チェーン１２０が同じ層に設けられることにある。このように設ける場合、駆動電極チェーン１１０及び誘導電極チェーン１２０は同じ製造プロセスで製造することができ、工程を節約することができる。
【００３１】
ここで、同じ前記駆動電極チェーン１１０は、複数の駆動電極１１１を含み、前記複数の駆動電極１１１は、二つの隣接する誘導電極チェーン１２０間のギャップに位置するように間隔をあけて設けられ、二つの隣接する前記駆動電極１１１同士は、互いに電気的に接続される。
【００３２】
オプションとして、図５を参照して、二つの隣接する前記駆動電極１１１同士は、駆動線１３０を介して互いに電気的に接続されてもよい。前記駆動線は、金属導線、金属コイルなどの導電線であってもよく、これらに限定されない。
【００３３】
オプションとして、図６を参照して、二つの隣接する前記駆動電極１１１同士は、ブリッジ１４０を介して互いに電気的に接続されてもよく、これらに限定されない。
【００３４】
オプションとして、図７を参照して、二つの隣接する前記第１サブチェーン１２１と前記第２サブチェーン１２２との間に絶縁材料１５０が充填される。このようにすれば、前記第１サブチェーン１２１と前記第２サブチェーン１２２との間の誤接触による伝導によって、一つの誘導電極チェーン１２０のみが形成されて二つの独立したコンデンサＣ１、Ｃ２が形成されず、フローティング位置決め機能が実現されないことを回避することができる。
【００３５】
オプションとして、図８を参照して、二つの隣接する前記誘導電極チェーン１２０と、二つの隣接する前記誘導電極チェーン１２０間のギャップに設けられる前記駆動電極チェーン１１０との間に絶縁材料１６０が充填される。このようにすれば、駆動電極チェーン１１０と誘導電極チェーン１２０との間の誤接触によって、第１コンデンサＣ１及び第２コンデンサＣ２が形成されず、フローティング位置決め機能が実現されないことを防止することができる。
【００３６】
この技術手段によって提供されるタッチパネル１０は、誘導電極チェーン１２０を互いに絶縁するように平行に間隔をあけて設けられるそれぞれ前記第１サブチェーン１２１及び前記第２サブチェーン１２２である二つのサブチェーンに分割する。二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの前記駆動電極チェーン１１０の部分に最も近いサブチェーンとにより、タッチパネルの表面に投影されるタッチオブジェクトの位置、すなわちタッチパネルの表面におけるタッチオブジェクトの平面座標を特定するための第１コンデンサＣ１が形成される。二つの隣接する前記誘導電極チェーン１２０間における前記駆動電極チェーン１１０の部分と、前記駆動電極チェーン１１０に近接する前記第１サブチェーン１２１及び前記第２サブチェーン１２２のうちの他のサブチェーンとにより、タッチパネルの表面に浮遊するタッチオブジェクトの高さＨを特定するための第２コンデンサＣ２が形成される。したがって、前記第１コンデンサＣ１と前記第２コンデンサＣ２とを組み合わせることにより、タッチパネルの上方空間におけるタッチオブジェクトの具体的な位置を特定することができ、フローティング位置決めが実現される。
【００３７】
図９を参照して、図９は、本発明の実施例に係るタッチ装置の構造を示す概略図である。タッチ装置１は、タッチパネル１０を含む。前記タッチパネル１０は、前述の実施例のいずれか一つによって提供されるタッチパネル１０であってもよく、ここではこれ以上詳述しない。前記タッチ装置１は、電子書籍、スマートフォン（例えばＡｎｄｒｏｉｄ携帯電話、ｉＯＳ携帯電話、Ｗｉｎｄｏｗｓ  Ｐｈｏｎｅ携帯電話など）、タブレットコンピュータ、ハンドヘルドコンピュータ、ノートブックコンピュータ、モバイルインターネットデバイス（ＭＩＤ、Ｍｏｂｉｌｅ  Ｉｎｔｅｒｎｅｔ  Ｄｅｖｉｃｅｓ）又はウェアラブルデバイスなどであってもよいが、これらに限定されない。
【００３８】
以上、本発明の実施例を詳細に紹介したが、本明細書では、具体的な例を適用して本発明の原理及び実施形態を説明した。以上の実施例の説明は、本発明の方法及びその核となる思想を理解するのを助けるためにのみ使用される。一方、当業者にとって、本発明の思想によれば、具体的な実施形態及び適用範囲のいずれにも変更がある。以上のように、本明細書の内容は、本発明に対する制限として理解されるべきではない。
【００３９】
本発明は、２０１７年１０月２６日に提出された、発明名称が「タッチパネル及びタッチ装置」であり出願番号がＣＮ２０１７１１０３７５８２．０である中国特許出願の優先権を主張するものであり、上記先願の内容をすべて組み込んでいる。
【図１】
2020535506.tif 000003
【図２】
2020535506.tif 000004
【図３】
2020535506.tif 000005
【図４】
2020535506.tif 000006
【図５】
2020535506.tif 000007
【図６】
2020535506.tif 000008
【図７】
2020535506.tif 000009
【図８】
2020535506.tif 000010
【図９】
2020535506.tif 000011
【国際調査報告】
2020535506.tif 000012
2020535506.tif 000013
2020535506.tif 000014
2020535506.tif 000015